【手続補正書】
【提出日】平成30年11月21日(2018.11.21)
【手続補正１】
【補正対象書類名】特許請求の範囲
【補正対象項目名】全文
【補正方法】変更
【補正の内容】
【特許請求の範囲】
【請求項１】
レーザビームを提供する、レーザ源と、
ウェストを有するように前記レーザビームを成形するように、かつ前記ウェストを中心にして少なくとも５ｍｍの治療深度を提供するように適合される、サブシステム集束要素であって、前記レーザ源は、前記治療深度において、硬質歯系組織に治療を行うために必要とされる最小エネルギー密度に少なくとも等しいエネルギー密度を提供するように適合される、サブシステム集束要素と
を備える、歯科レーザ治療システム。
【請求項２】
前記ウェストは、５０μｍ〜５００μｍの範囲内である、請求項１に記載の歯科レーザ治療システム。
【請求項３】
前記レーザビームは、９μｍ〜１２μｍの範囲内の波長を有する、請求項１に記載の歯科レーザ治療システム。
【請求項４】
前記集束要素は、ガウスビームプロファイルを有する、レーザビームを提供するように適合される、請求項１に記載の歯科レーザ治療システム。
【請求項５】
前記集束要素は、シルクハット型ビームプロファイルを有する、レーザビームを提供するように適合される、請求項１に記載の歯科レーザ治療システム。
【請求項６】
前記集束要素は、少なくとも２５ｍｍの焦点距離で前記レーザビームの前記ウェストを形成するように適合される、請求項１に記載の歯科レーザ治療システム。
【請求項７】
前記焦点距離は、約１３５ｍｍである、請求項６に記載の歯科レーザ治療システム。
【請求項８】
ビーム誘導システムであって、前記レーザ源と前記集束要素との間に位置するビーム誘導システムをさらに備える、請求項１に記載の歯科レーザ治療システム。
【請求項９】
前記ビーム誘導システムは、少なくとも１つの検流計を備える、請求項８に記載の歯科レーザ治療システム。
【請求項１０】
前記集束要素から下流に配置されるハンドピースアセンブリをさらに備える、請求項１に記載の歯科レーザ治療システム。
【請求項１１】
前記ハンドピースアセンブリ内に配置される反射鏡をさらに備える、請求項１０に記載の歯科レーザ治療システム。
【請求項１２】
ハンドピースアセンブリをさらに備え、前記集束要素は、前記ハンドピースアセンブリ内に配置される、請求項１に記載の歯科レーザ治療システム。
【請求項１３】
前記レーザ源は、少なくとも部分的に前記集束要素の前記ウェストおよび焦点距離に基づく直径を有するレーザビームを提供するように構成され、前記レーザビームの直径は、０．０６ｍｍ〜最大５ｍｍの範囲内である、請求項１に記載の歯科レーザ治療システム。
【請求項１４】
前記集束要素は、少なくとも１つのレンズを備える、請求項１に記載の歯科レーザ治療システム。
【手続補正２】
【補正対象書類名】明細書
【補正対象項目名】００２０
【補正方法】変更
【補正の内容】
【００２０】
種々の実施形態では、レーザビームは、ガウスまたはシルクハット型ビームプロファイルを有してもよい。歯科レーザ治療システムはまた、治療深度内の物質を冷却するためのシステムを含んでもよい。冷却用のシステムは、治療深度内の物質に送達される流体（例えば、水または水霧）を含んでもよい。ある場合には、レーザ歯科治療システムはまた、流体がハンドピースアセンブリを通して物質に送達される、ハンドピースアセンブリを含んでもよい。ハンドピースアセンブリは、集束要素と治療深度との間に配置されてもよい。ある場合には、反射鏡が、集束要素と治療深度との間でハンドピースアセンブリ内に配置される。
本願明細書は、例えば、以下の項目も提供する。
（項目１）
レーザビームを提供する、レーザ源と、
ウェストを有するように前記レーザビームを成形するように、かつ前記ウェストを中心にして少なくとも５ｍｍの治療深度を提供するように適合される、サブシステム集束要素であって、前記レーザ源は、前記治療深度において、硬質歯系組織に治療を行うために必要とされる最小エネルギー密度に少なくとも等しいエネルギー密度を提供するように適合される、サブシステム集束要素と
を備える、歯科レーザ治療システム。
（項目２）
前記ウェストは、５０μｍ〜５００μｍの範囲内である、項目１に記載の歯科レーザ治療システム。
（項目３）
前記レーザビームは、９μｍ〜１２μｍの範囲内の波長を有する、項目１に記載の歯科レーザ治療システム。
（項目４）
前記集束要素は、ガウスビームプロファイルを有する、レーザビームを提供するように適合される、項目１に記載の歯科レーザ治療システム。
（項目５）
前記集束要素は、シルクハット型ビームプロファイルを有する、レーザビームを提供するように適合される、項目１に記載の歯科レーザ治療システム。
（項目６）
前記集束要素は、少なくとも２５ｍｍの焦点距離で前記レーザビームの前記ウェストを形成するように適合される、項目１に記載の歯科レーザ治療システム。
（項目７）
前記焦点距離は、約１３５ｍｍである、項目６に記載の歯科レーザ治療システム。
（項目８）
ビーム誘導システムであって、前記レーザ源と前記集束要素との間に位置するビーム誘導システムをさらに備える、項目１に記載の歯科レーザ治療システム。
（項目９）
前記ビーム誘導システムは、少なくとも１つの検流計を備える、項目８に記載の歯科レーザ治療システム。
（項目１０）
前記集束要素から下流に配置されるハンドピースアセンブリをさらに備える、項目１に記載の歯科レーザ治療システム。
（項目１１）
前記ハンドピースアセンブリ内に配置される反射鏡をさらに備える、項目１０に記載の歯科レーザ治療システム。
（項目１２）
ハンドピースアセンブリをさらに備え、前記集束要素は、前記ハンドピースアセンブリ内に配置される、項目１に記載の歯科レーザ治療システム。
（項目１３）
前記レーザ源は、少なくとも部分的に前記集束要素の前記ウェストおよび焦点距離に基づく直径を有するレーザビームを提供するように構成され、前記レーザビームの直径は、０．０６ｍｍ〜最大５ｍｍの範囲内である、項目１に記載の歯科レーザ治療システム。
（項目１４）
前記集束要素は、少なくとも１つのレンズを備える、項目１に記載の歯科レーザ治療システム。
（項目１５）
レーザ歯科治療を行うための方法であって、
レーザ源からレーザビームを提供するステップと、
前記レーザビームがウェストを有し、前記ウェストを中心にして少なくとも５ｍｍの治療深度を提供するように、サブシステム集束要素を使用して、前記レーザビームを成形するステップと、
前記治療深度において、硬質歯系組織に治療を行うために必要とされる最小エネルギー密度に少なくとも等しいエネルギー密度を提供するステップと
を含む、方法。
（項目１６）
前記ウェストは、５０μｍ〜５００μｍの範囲内である、項目１５に記載の方法。
（項目１７）
前記レーザビームは、９μｍ〜１２μｍの範囲内の波長を有する、項目１５に記載の方法。
（項目１８）
前記レーザビームは、ガウスビームプロファイルを有する、項目１５に記載の方法。
（項目１９）
前記レーザビームは、シルクハット型ビームプロファイルを有する、項目１５に記載の方法。
（項目２０）
前記成形するステップは、少なくとも２５ｍｍの焦点距離で前記レーザビームの前記ウェストを形成するために、前記集束要素を使用するステップを含む、項目１５に記載の方法。
（項目２１）
前記焦点距離は、約１３５ｍｍである、項目２０に記載の方法。
（項目２２）
前記集束要素から下流でハンドピースアセンブリ内に配置される反射鏡を使用して、前記レーザビームを旋回させるステップをさらに含む、項目１５に記載の方法。
（項目２３）
前記ハンドピースアセンブリ内に配置される反射鏡を使用して、前記レーザビームを旋回させるステップをさらに含み、前記集束要素もまた、前記ハンドピースアセンブリ内に配置される、項目１５に記載の方法。
（項目２４）
前記集束要素は、少なくとも１つのレンズを備える、項目１５に記載の方法。
（項目２５）
前記レーザ源から前記レーザビームを提供するステップは、少なくとも部分的に前記集束要素の前記ウェストおよび焦点距離に基づいて、前記レーザビームの直径を調節するステップを含み、前記レーザビームの直径は、０．０６ｍｍ〜最大５ｍｍの範囲内である、項目１５に記載の方法。